(57)【要約】【課題】施工後に、残存型枠を長期間、安定して維持することができ、汎用性が高いプレキャスト製残存型枠パネルを提供する。【解決手段】プレキャスト製残存型枠パネル１は、プレキャスト製残存型枠パネル本体２と、ステンレス鋼で構成されたフック部６が、プレキャスト製パネル本体２の背面２ａから突出するように、プレキャスト製残存型枠パネル本体２の背面２ａの所定の位置に設けられた被連結金具３と、プレキャスト製残存型枠パネル本体２の背面２ａに設けられた、防水機能及び防錆機能を有する隔離塗布膜４とを備える構成をとる。【選択図】図１
0003218124.tif 000002
【実用新案登録請求の範囲】
【請求項１】
残存型枠を構築するために使用するプレキャスト製残存型枠パネルであって、
プレキャスト製残存型枠パネル本体と、
ステンレス鋼で構成されたフックが、前記プレキャスト製パネル本体の背面から突出するように、前記プレキャスト製残存型枠パネル本体の背面の所定の位置に設けられた被連結金具と、
前記プレキャスト製残存型枠パネル本体の背面に設けられた、防水機能及び防錆機能を有する隔離塗布膜と、を備える、
ことを特徴とするプレキャスト製残存型枠パネル。
【請求項２】
前記プレキャスト製残存型枠パネル本体の背面から露出した前記被連結金具の表面が前記隔離塗布膜で覆われている、
ことを特徴とする請求項１に記載のプレキャスト製残存型枠パネル。
【考案の詳細な説明】
【技術分野】
【０００１】
本考案は、残存型枠の施工方法に使用するプレキャスト製残存型枠パネルに関するものである。
【背景技術】
【０００２】
従来、残存型枠を構築するための残存型枠パネルが開示されている（例えば、特許文献１）。一般的に、残存型枠は、背面に被連結金具を有する残存型枠パネルを積み重ね、鋼製の連結金具（以下、セパレータと記すこともある。）と連結することで構築される。
残存型枠パネルには、残存型枠が構築された後、長期間、安定して維持できることが望まれている。残存型枠を長期間、安定して維持するには、残存型枠パネルにひび割れが発生することを抑止するできる残存型枠パネルや、被連結金具が腐食することを防止できる残存型枠パネルが求められる。
【０００３】
特許文献１の残存型枠パネルは、残存型枠パネル本体と、この残存型枠パネル本体の背面に設けられた被連結金具とを備えており、この被連結金具は少なくとも背面から所定の範囲を弾性樹脂製カバー材で覆われている。この弾性樹脂製カバー材の弾性変位追従機能により、コンクリートに生じるひび割れ変位が残存型枠パネルにほとんど伝わらない。そのため、特許文献１の残存型枠パネルを使用することで、残存型枠にひび割れが生じることを抑止することができる。
【先行技術文献】
【特許文献】
【０００４】
【特許文献１】特許第６２７８３７８号公報
【考案の概要】
【考案が解決しようとする課題】
【０００５】
特許文献１の残存型枠パネルは、予め作製した残存型枠パネル（いわゆる、プレキャスト製残存型枠パネル）を使用しているため、残存型枠パネルの内部には毛細管空隙が形成され、残存型枠パネルの背面には、毛細管空隙の入口（開口部）が複数形成される。そうすると、残存型枠パネルに侵入した雨水や融雪剤から溶出した塩水が、毛細管空隙を介して、残存型枠パネルの内部に侵入し、残存型枠パネルを構成するコンクリート及び補強鉄筋を劣化させるおそれがある。この劣化が進行すると、残存型枠パネルの強度や耐久性が低下したり、残存型枠の外観を著しく損ねたりするおそれが生じる。
【０００６】
本考案は、施工後に、残存型枠を長期間、安定して維持することができ、プレキャスト製残存型枠パネルを提供することを目的とする。
【課題を解決するための手段】
【０００７】
本考案に係るプレキャスト製残存型枠パネルは、残存型枠を構築するために使用し、プレキャスト製残存型枠パネル本体と、ステンレス鋼で構成されたフックが、プレキャスト製パネル本体の背面から突出するように、プレキャスト製残存型枠パネル本体の背面の所定の位置に設けられた被連結金具と、プレキャスト製残存型枠パネル本体の背面に設けられた、防水機能及び防錆機能を有する隔離塗布膜とを備えることを特徴とする。
【０００８】
本考案に係るプレキャスト製残存型枠パネルは、プレキャスト製残存型枠パネル本体の背面から露出した被連結金具の表面が隔離塗布膜で覆われていることを特徴とする。
【考案の効果】
【０００９】
プレキャスト製残存型枠パネル本体の背面には、プレキャスト製残存型枠パネル本体の内部に形成された毛細管空隙の入口が多数形成されている。
本考案に係るプレキャスト製残存型枠パネルは、プレキャスト製残存型枠パネル本体の背面全域に防水機能及び防錆機能を有する隔離塗布膜が設けられているため、多数の毛細管空隙の入口は隔離塗布膜で完全に覆われる。そうすると、残存型枠を構築した後、プレキャスト製残存型枠パネル本体の背面側に侵入した雨水や融雪剤から溶出した塩水が、毛細管空隙を介して、プレキャスト製残存型枠パネル本体の内部に侵入することを抑制することができる。
そのため、本考案に係るプレキャスト製残存型枠パネルを使用することで、例えば、塩害や凍害を抑止することができ、プレキャスト製残存型枠パネルの強度や耐久性が低下することを防止すると共に、残存型枠の外観が著しく損なわれることを回避できる。
したがって、プレキャスト製残存型枠パネルで構築した残存型枠を長期間、安定して維持することができる。
【００１０】
残存型枠は、プレキャスト製残存型枠パネルを積み重ね、例えば、鋼矢板や既設擁壁の前面に構築される。この際、被連結金具は、鋼矢板や既設擁壁と接続された鋼製のセパレータと連結されることで、残存型枠が構築される。
本考案に係るプレキャスト製残存型枠パネルは、プレキャスト製残存型枠パネル本体の背面から突出した被連結金具が隔離塗布膜で覆われているため、被連結金具とセパレータとの接続部付近に雨水等が侵入した場合でも、この雨水等は、隔離塗布膜によって、被連結金具３と接触することが遮られる。
したがって、被連結金具と鋼製のセパレータとの間で異種金属腐食が生じることを防止でき、残存型枠を長期間、安定して維持することができる。
【図面の簡単な説明】
【００１１】
【図１】本考案の実施形態に係るプレキャスト製残存型枠パネルを示す図である。（ａ）上面図、（ｂ）背面図
【図２】本考案の実施形態に係るプレキャスト製残存型枠パネルを使用して構築された残存型枠を示す図である。（ａ）断面図、（ｂ）正面図
【図３】本考案の実施形態に係るプレキャスト製残存型枠パネルを使用して構築された残存型枠の背面図である。
【図４】本考案の実施形態に係るプレキャスト製残存型枠パネルを使用して構築された残存型枠の断面図である。
【考案を実施するための形態】
【００１２】
本実施形態に係るプレキャスト製残存型枠パネルは、積み重ねて残存型枠を構築するために使用される。そして、このプレキャスト製残存型枠は、施工後に、残存型枠を長期間、安定して維持することができ、汎用性が高いものである。
以下、本実施形態に係るプレキャスト製残存型枠パネル、及びこのプレキャスト製残存型枠パネルを使用して構築する残存型枠の施工方法を、図１から図３を参照し、説明する。なお、図面上、プレキャスト製残存型枠の幅方向を左右方向Ｘ、高さ方向を上下方向Ｙ、厚み方向を前後方向Ｚと記す。
【００１３】
本実施形態に係るプレキャスト製残存型枠パネル１は、図１に示すように、プレキャスト製残存型枠パネル本体２と、プレキャスト製残存型枠パネル本体２の背面２ａの所定の位置に設けられた複数の被連結金具３と、プレキャスト製残存型枠パネル本体２の背面（裏面）２ａに設けられた、防水機能及び防錆機能を有する隔離塗布膜４とを備えている。
【００１４】
プレキャスト製残存型枠パネル本体２は、図１（ｂ）に示すように、矩形状であり、そのサイズは、例えば、高さ３００ｍｍ、幅９００ｍｍものが使用される。
プレキャスト製残存型枠パネル本体２の背面２ａには、クレーターＵが形成されると共に、製造の際に形成されるレイタンスＬや、プレキャスト製残存型枠パネル本体２の内部に形成される毛細管空隙９の入口９ａが多数形成されている。
【００１５】
プレキャスト製残存型枠パネル本体２の背面２ａには、幅方向Ｘ及び高さ方向Ｙに２つずつ被連結金具３が設けられている。この被連結金具３は、プレキャスト製残存型枠パネル本体２の背面２ａから突出するように設けられている（図１（ａ））。
また、プレキャスト製残存型枠パネル本体２の内部の幅方向Ｘ及び高さ方向Ｙには、プレキャスト製残存型枠パネル本体２の強度を確保するために、複数の鉄筋５が設けられている。
【００１６】
被連結金具３は、フック部６と、このフック部６の両端に連結された埋設部７とを備えている。この被連結金具３は、埋設部７がプレキャスト製残存型枠パネル本体２の内部に埋め込まれ、フック部６がプレキャスト製残存型枠パネル本体２の背面２ａから突出させて設けられている。被連結金具３には、金属製のものを使用し、耐食性に優れた素材を使用することが好ましい。被連結金具３には、例えば、ステンレス鋼材（ＳＵＳ３０４）が使用できる。また、被連結金具３における、背面２ａから突出しているフック部６の表面には、後述する隔離塗布膜４が設けられている。
【００１７】
隔離塗布膜４は、プレキャスト製残存型枠パネル本体２の背面２ａに形成される毛細管空隙９の入口９ａを塞ぐ目的で、設けられている。この隔離塗布膜４は、例えば、塗料を予め塗布することで、設けられる。この隔離塗布膜４は、少なくとも防水機能及び防錆機能を備えており、その他、適度な引張弾性を有しているものが好ましい。隔離塗布膜４は、例えば、５０μｍから５００μｍの厚みとなるように塗布される。
【００１８】
次に、本実施形態に係るプレキャスト製残存型枠パネル１を使用した残存型枠の施工方法を構築する例を説明する。
なお、残存型枠の施工方法で使用するセメント系固結材には、水分を含み、経時的に固化するものであれば使用でき、例えば、コンクリート、モルタル、気泡モルタル等を使用することができる。本実施形態では、セメント系固結材として、コンクリート１２を使用した例について説明する。
【００１９】
初めに、図２に示すように、プレキャスト製残存型枠パネル１を積み重ね、残存型枠１０を構築する。構築の際、被連結金具３と木製型枠（コンパネ）１３に接続された鋼製の連結金具（セパレータ）１１とを連結させ、残存型枠１０を木製型枠（コンパネ）１３の前面に固定する。
【００２０】
そして、図３に示すように、隣接するプレキャスト製残存型枠パネル２同士の間に形成される目地部８をシーリング材１４でシールする。このシーリング材１４には、コーキング材やテープを使用することができる。
【００２１】
次に、プレキャスト製残存型枠パネル１と木製型枠（コンパネ）１３との間にコンクリート１２を打設する。プレキャスト製残存型枠パネル本体２の背面２ａ全域が隔離塗布膜４によって覆われているため、コンクリート１２は、プレキャスト製残存型枠パネル本体２の背面２ａに接触することなく打設される。コンクリート１２を打設した後、コンクリート１２を硬化させる。
【００２２】
本実施形態に係るプレキャスト製残存型枠パネル１の作用効果について説明する。
【００２３】
残存型枠１０の背面に隙間が生じている場合、雨水や融雪剤から溶出した塩水が流れ込む。
本実施形態に係るプレキャスト製残存型枠パネル１は、プレキャスト製残存型枠パネル本体２の背面２ａ全域に、防水機能及び防錆機能を有する隔離塗布膜４が設けられているため、多数の毛細管空隙９の入口９ａは隔離塗布膜４で完全に覆われる。そのため、残存型枠１０を構築した後、プレキャスト製残存型枠パネル２の背面２ａ側に侵入した雨水や融雪剤から溶出した塩水は、図４に示すように、毛細管空隙９を介して、プレキャスト製残存型枠パネル２の内部に侵入することが抑制され、鉄筋５が腐食したり、プレキャスト製残存型枠パネル本体２にひび割れが生じたりすることが回避される。
そうすると、雨水や塩水が浸入することで引き起こされる塩害や凍害が発生することが抑制される。したがって、本実施形態に係るプレキャスト製残存型枠パネル１を使用することで、施工後の残存型枠１０を長期間、安定して維持することができる。
そして、本実施形態に係るプレキャスト製残存型枠パネル１は、融雪剤が使用される地域において、非常に有用性が高いものである。
【００２４】
また、雨水や塩水がプレキャスト製残存型枠パネル本体２の内部に侵入することが抑制されるため、劣化が促進されることなく、残存型枠１０の外観が損なわれることを長期間回避できる。
【００２５】
異種の金属（電位の異なる二つの金属）間に水分が介在すると、一方がアノード、他方がカソードとなり、腐食の原因となるイオン化が促進される。この現象は、異種金属腐食と呼ばれる。
本実施形態に係るプレキャスト製残存型枠パネル１は、被連結金具３を介して、鋼製のセパレータ１１接続される。この被連結金具３は、隔離塗布膜４で覆われているため、被連結具３とセパレータ１１との接続部付近に雨水等が侵入したとしても、この雨水等は、隔離塗布膜４によって、被連結金具３との接触が遮られる。
したがって、被連結金具３とセパレータ１１との間で生じる異種金属腐食が抑制され、残存型枠１０を長期間、安定して維持することができる。
【００２６】
以上、本実施形態について説明したが、これ以外にも、本考案の主旨を逸脱しない限り、上記実施の形態で挙げた構成を取捨選択したり、他の構成に適宜変更することが可能である。
例えば、本実施形態では、プレキャスト製残存型枠パネル２の背面２ａに設けられる隔離塗布膜と、被連結金具３を被覆する隔離塗布膜は同種類のものではなくてもよい。前者に使用される隔離塗布膜は、背面２ａに形成される毛細管空隙９の入口９ａを防ぐことができるものであればよく、後者に使用される隔離塗布膜は、被連結金具３を被覆でき、被連結金具３のフック部６と周囲の水分が接触することを回避できればよい。
また、本実施形態で説明した残存型枠の施工方法は、例えば、鋼矢板の前面に構築したり、残存型枠１０同士を互いに向き合わせたりして、構築できる。
【符号の説明】
【００２７】
１      プレキャスト製残存型枠パネル
２      プレキャスト製残存型枠パネル本体
２ａ    背面
３      被連結金具
４      隔離塗布膜
５      鉄筋
６      フック部
７      埋設部
８      目地部
９      毛細管空隙
９ａ    入口
１０    残存型枠
１１    連結金具（鋼製のセパレータ）
１２    コンクリート（セメント系固結材）
１３    木製型枠（コンパネ）
１４    シーリング材
Ｌ      レイタンス
Ｕ      クレーター
Ｘ      左右方向
Ｙ      上下方向
Ｚ      前後方向
【図１】
0003218124.tif 000003
【図２】
0003218124.tif 000004
【図３】
0003218124.tif 000005
【図４】
0003218124.tif 000006